(57)【要約】【課題】チューブの先端部分を確実に挟圧により閉鎖し得るチューブ挟圧式吐出ヘッドを提供する。【解決手段】容器頭部に設けられたヘッド基部１０と、このヘッド基部に回動可能に支持されて回動操作される回動部２０とを備え、この回動部は通常状態で容器内に連通する吐出チューブ７を収納した状態で挟圧して閉鎖し、使用時に回動部２０が開放操作されると、吐出チューブ７が挟圧を解除されて内容液を吐出可能にする。ヘッド基部１０の正面部に、吐出チューブ７の受部１１を突設すると共に、回動部２０の正面部に、通常状態に受部１１を上方から閉鎖して吐出チューブ７を収納する蓋部２１が突設されている。受部１１の底面及び蓋部２１の天面の一方に少なくとも１個の一方側突片１２を突設し、他方に前後２個の相手方突片２２を突設することにより吐出チューブ７の介在状態で歯合させる。【選択図】　　　　　図１
2004091037.tif 000002
【特許請求の範囲】
【請求項１】
容器頭部に設けられたヘッド基部と、このヘッド基部に回動可能に支持されて回動操作される回動部とを備え、この回動部は通常状態で容器内に連通する吐出チューブをヘッド基部及び回動部間の空間部に収納した状態で挟圧して閉鎖し、使用時に回動部が開放操作されると、吐出チューブが挟圧を解除されて内容液を吐出可能にするチューブ挟圧式吐出ヘッドにおいて、
ヘッド基部の正面部に、吐出チューブの受部を前方へ向けて突設すると共に、回動部の正面部に、通常状態に前記受部を上方から閉鎖して前記吐出チューブを収納する蓋部が突設され、
前記吐出チューブを挟圧するように、前記受部の底面及び前記蓋部の天面の一方に少なくとも１個の一方側突片を突設し、他方に前後２個の相手方突片を突設すると共に、これらの相手方突片間に、通常状態で前記一方側突片を前記吐出チューブの介在状態で歯合させることを特徴とするチューブ挟圧式吐出ヘッド。
【請求項２】
一方側突片が２個前後に突設され、これらの一方側突片間に、通常状態で前後２個の相手方突片の一方を吐出チューブの介在状態で歯合させることにより前記吐出チューブを挟圧することを特徴とする請求項１記載のチューブ挟圧式吐出ヘッド。
【請求項３】
吐出チューブが、回動部の開放時に受部の先端よりも後退位置を占める長さに設定されていることを特徴とする請求項１又は請求項２記載のチューブ挟圧式吐出ヘッド。
【請求項４】
受部及び蓋部が互いに重なって縦長で嘴状に突出し、
ヘッド基部及び回動部のいずれか一方に突設された軸部が、他方に形成された軸受孔に支持されることにより、前記回動部がその端面を眼球状に露出させた状態で回動可能になることを特徴とする請求項１記載のチューブ挟圧式吐出ヘッド。
【請求項５】
回動部を指で回動操作させるための指操作部が、前記回動部の前後方向に円弧状になった上面部から前後方向に幅広に突出していることを特徴とする請求項４記載のチューブ挟圧式吐出ヘッド。
【発明の詳細な説明】
【０００１】
【発明の属する技術分野】
本発明は、容器頭部に設けられたヘッド基部に回動可能に支持された回動部が通常状態で容器内に連通する吐出チューブを内部に収納した状態で挟圧により閉鎖しておき、回動部が開放位置に回動操作されると吐出チューブの挟圧が解除されて、その先端開口から内容物を吐出可能にするチューブ挟圧式吐出ヘッドに関するものである。
【０００２】
【従来の技術】
実開昭６０−２０７３２及び実開昭６０−２０７３３号公報により、容器内に連通するチューブを容器頭部に装着されたヘッドの回動部により内部に押込んだ状態で挟圧しておき、回動部が回動操作により開放されると、チューブの挟圧が解除されると共に、弾性で延びたチューブをストローとして内容液を吸えるようになったストロー式水筒が周知である。
【０００３】
【発明が解決しようとする課題】
しかしながら、このストロー式水筒はストローから飲用物を吸うことを前提にしたもので、吸引の邪魔にならないように、チューブ先端部分を残して基端側寄りを挟圧する構造になっている。したがって、容器の底面からの押出し、周面の圧搾或いはシェイク等の容器の吐出操作により内容物を吐出させようとした場合、吸い口用に長く延びたストロー先端部から容器周面に向けて液垂れが生じたり、特に粉体或いは粘性の高い内容物の場合、チューブの挟圧位置よりも先方部分に滞留する量が増加することになる。
【０００４】
本発明は、このような点に鑑みて、チューブの先端部分を確実に挟圧により閉鎖し得る冒頭に述べた類のチューブ挟圧式吐出ヘッドを提供することを目的とする。
【０００５】
【課題を解決するための手段】
本発明は、この目的を達成するために、請求項１により、容器頭部に設けられたヘッド基部と、このヘッド基部に回動可能に支持されて回動操作される回動部とを備え、この回動部は通常状態で容器内に連通する吐出チューブをヘッド基部及び回動部間の空間部に収納した状態で挟圧して閉鎖し、使用時に回動部が開放操作されると、吐出チューブが挟圧を解除されて内容液を吐出可能にするチューブ挟圧式吐出ヘッドにおいて、ヘッド基部の正面部に、吐出チューブの受部を前方へ向けて突設すると共に、回動部の正面部に、通常状態に受部を上方から閉鎖して吐出チューブを収納する蓋部が突設され、吐出チューブを挟圧するように、受部の底面及び蓋部の天面の一方に少なくとも１個の一方側突片を突設し、他方に前後２個の相手方突片を突設すると共に、これらの相手方突片間に、通常状態で一方側突片を吐出チューブの介在状態で歯合させることを特徴とする。
【０００６】
通常状態で、吐出チューブは、ヘッド基部及び回動部間の空間部並びに蓋部で上方から閉鎖された受部内に収納されると共に、上下の前後に変位した突片の噛合による挟圧により閉鎖している。回動部の回動操作により蓋部が開放すると、吐出チューブは挟圧を解除されて開放し、その先端開口から内容物が吐出可能となる。
【０００７】
【発明の実施の形態】
図１乃至図３を基に本発明の実施の形態の一例によるチューブ挟圧式吐出ヘッドを説明する。この吐出ヘッド９は、容器１の頭部の口部１ａにねじ止めされるキャップ３に装着されるヘッド基部１０及びこのヘッド基部に回動可能に支持され、かつ回動操作される回動部２０とを備えている。ヘッド基部１０は、口部１ａに外嵌合する円筒部１８及びその上方へ延びて回動部２０をカバーする側面視半円状の両側の側面部１９を備えている。回動部２０は、前後方向に円弧状の上面部２５及びその両側の互いに平行な側面部２６を備えることにより、吐出ヘッド９は両側の側面部１９及びその間の上面部２５により、略半球状に形成されている。
【０００８】
容器１は、その周面を手で圧搾して内容物を吐出せるように、可撓性の合成樹脂で形成され、例えば子供用のクリーム状シャンプーを内容物としている。キャップ３は、容器１の底部近辺まで延びたディップチューブ２を嵌入させる下向きの溝３ａと、この溝に連通孔３ｃで連通して吐出パイプ４を嵌入させる上向きの溝３ｂとを備えている。吐出パイプ４の上端部には、通常状態では直線で、かつ挟圧により撓むことのできる曲げ弾性を呈する吐出チューブ７の基端部を嵌合させる僅かに斜め上向きのＬ字形の出口部４ａが形成されている。
【０００９】
ヘッド基部１０の円筒部１８の正面部の上端部には、吐出チューブ７の凹状の受部１１が前方へ向けて突設されると共に、回動部２０の上面部２５の前端部に、閉鎖時に受部１１に周辺部同士で対接する凹状の蓋部２１が前方へ向けて突設されている。受部１１及び蓋部２１は互いに重なって前方へ向けて細長く突出する嘴形状に形成されている。これにより、吐出パイプ４は、ヘッド基部１０及び回動部２０間の閉鎖された空間部に吐出パイプ４と共に収納され、先方領域は受部１１及び蓋部２１間の空間部に収納されている。
【００１０】
回動部２０の両側の側面部２６における上面部２５の円弧の中心位置には、軸部２７がそれぞれ突設され、ヘッド基部１０の球面状側面部１９の下端部の軸受孔１３に回転自在に支持されている。回動部２０及びヘッド基部１０はそれぞれ合成樹脂製であり、互いに別の色で着色され、したがって軸部２７の円形の端面２７ａは軸受孔１３の周辺と別色となって眼球状に露出される。上面部２５の後方部分には、回動部２０を指で回動操作するためのプレート状指操作部２３が、斜め上方へ冠羽状に突設されている。
【００１１】
受部１１の底面及び蓋部２１の天面には、ヘッド基部１０の上方の空間部を回動部２０が閉鎖している通常状態で、吐出チューブ７を挟圧により閉鎖するように、前後２個の突片１２，２２がそれぞれ突設されている。突片２２は蓋部２１から僅かに下方へ突出する長さに設定され、受部１１の高さと同程度の長さに上方へ突出する突片１２を互いに部分的に侵入させるようになっている。また、これらの前後位置は、吐出チューブ７の壁厚の２倍程度互いに前後に隙間を置くように設定されている。さらに、このような吐出チューブ７の介在状態で突片１２，２２を歯合させた状態に保持するように、上面部２５の後端部に形成された凸部２４が、円筒部１８の背面部の凹部１４に係合して、回動部２０を通常位置に拘束するようになっている。
【００１２】
このように構成されたチューブ挟圧式吐出ヘッド９の動作は次の通りである。通常状態では、回動部２０がヘッド基部１０の上方の空間部を上方から閉鎖して吐出ヘッド９の上部を半球ドーム状にすると共に、蓋部２１も受部１１を嘴状に閉鎖し、その内部で突片２２、１２により吐出チューブ７をＳ字形に挟圧して閉鎖している。これにより、吐出ヘッド９は、側面視眼球状の軸部２７及び冠羽状の指操作部２３と共に、鳥の頭部の外観を呈する。
【００１３】
使用時には指操作部２３を下方へ押して回動部２０を開放させると、蓋部２１が受部１１から離反すると同時に吐出チューブ７の挟圧が解除されて、図３に示すように、吐出チューブ７はその弾性により僅かに上向きに直線状に突出する。容器１を手で握って絞ることにより、内容物が吐出チューブ７の先端開口から吐出される。容器１の吐出操作を解除した際に吐出チューブ７の先端は受部１１の先端よりも僅かに後退位置を占めることにより、容器１の周囲に液垂れを生じることが抑制される。回動部２０を閉鎖すると、吐出チューブ７はその先方領域が挟圧されることにより閉鎖する。その際、吐出チューブ７の先端部の開放部分は僅かな長さとなり、したがって粘性のあるクリーム状内容物が開放状態の吐出チューブ７の先端部に滞留したり、或いは挟圧により吐出される内容物の量は僅かで済む。
【００１４】
尚、内容物としては、家庭用或いは工業用の液体、クリーム状、粉体もしくは粒状のものが考えられる。、容器は、圧搾式に限らず、容器底部からの押し出し式或いは上下に振るシェイク式でも良く、これらの場合吐出パイプにはディップチューブを接続することなく、容器頭部で吐出パイプに内容物を導入させることができる。
【００１５】
図４乃至図６は別の実施の形態によるチューブ挟圧式吐出ヘッドを示すもので、容器１ｂの頭部に装着されたドーム状のキャップ３９の上面中心部から突出する方形状部３１及びその両側から上方へ延びる半円状側面板３２を有するヘッド基部３０と、扇形の側面板４１及びこれらの側面板間を連結する上面部４２を有する回動部４０とを備えている。
【００１６】
回動部４０は、その側面板４１の円弧中心位置に形成された軸受孔４６に、ヘッド基部３０の円弧中心位置から突設された軸部３６を挿入させることにより、回動可能に支持されている。吐出チューブ７ａは、キャップ３９の中心部に形成された筒部３８に嵌入されて支持され、さらに延長されて容器１ａに浸漬されている。上面部４２の前後方向の中心領域には、刻み目を表面に形成されて円弧状に隆起する指操作部４５が形成されている。
【００１７】
ヘッド基部３０の正面部には、受部３３が前方へ向けて突設されると共に、上面部４２の前端には蓋部４３が形成されている。受部３３には１個の突片３４が形成され、蓋部４３には２個の突片４４が形成されることにより、吐出チューブ７ａをＵ字形に挟圧するようになっている。
【００１８】
通常状態で、吐出ヘッドは、容器１ｂのキャップ３９の中心部で扁平な略半円状に突出し、軸部３６の端面は黒色に着色されて眼球、指操作部４５は赤色に着色されて横幅よりも前後方向に幅広に突出する鶏冠、受部３３及び蓋部４３は嘴として鶏の外観を呈する。突片３４及び突片４４は深く噛合して吐出チューブ７ａを上下方向に曲げた広い範囲で挟圧することにより、この挟圧状態で回動部４０は閉鎖状態の通常位置に保持される（図６）。指操作部４５で回動部４０を開放させた状態で、図５に示すように、吐出チューブ７ａは前方へ弾性復帰し、受部３３の先端位置よりも僅かに後退した位置を占める。
【００１９】
【発明の効果】
請求項１の発明のチューブを開閉して内容物を吐出させる吐出式のヘッドによれば、吐出チューブが受部で挟圧されることによりチューブの先端領域での開閉が可能となり、挟圧位置よりも先方のチューブ部分に残る内容物の量も減らすことが可能となる。吐出チューブは上下の突片の噛合による挟圧により確実に閉鎖される。請求項２の発明によれば、上下２個の突片により吐出チューブがＳの字形に確実に挟圧される。請求項３の発明によれば、吐出終了時点でのチューブ先端口からの容器周面への液垂れが受部で受止められる。請求項４の発明によれば、鳥を模した外観に構成することができ、特に子供用の吐出ヘッドとして好適となる。その際、請求項５の発明によれば、指操作部が円弧状上面部から突出することにより、鶏冠もしくは冠羽を備えた鳥を模して構成することができる。
【図面の簡単な説明】
【図１】本発明の実施の形態によるチューブ挟圧式吐出ヘッドの断面図である。
【図２】同チューブ挟圧式吐出ヘッドの図１に対して交差方向の断面図である。
【図３】同チューブ挟圧式吐出ヘッドの使用状態での斜視図である。
【図４】別の実施の形態によるチューブ挟圧式吐出ヘッドの斜視図である。
【図５】図４によるチューブ挟圧式吐出ヘッドの側面図である。
【図６】図４によるチューブ挟圧式吐出ヘッドの嘴部分の断面図である。
【符号の説明】
１、１ｂ　容器
７、７ａ　吐出チューブ
１０、３０　ヘッド基部
１１、３３　受部
１２、２２、３４、４４　突片
１３、４６　軸受孔
２０、４０　回動部
２１、４３　蓋部
２３、４５　指操作部
２７、３６　軸部
【図１】
2004091037.tif 000003
【図２】
2004091037.tif 000004
【図３】
2004091037.tif 000005
【図４】
2004091037.tif 000006
【図５】
2004091037.tif 000007
【図６】
2004091037.tif 000008